(57)【要約】【課題】現場が広範な領域に亘る場合でも適切な資材の取付を容易に管理する。【解決手段】サーバにより、資材の組合せおよび該資材の取付現場を示す工事票データが受付けられ、該データが示す組合せの資材に貼付ける為の該資材を識別可能なコードを印刷したシールが出力され、資材に付されたコードが読取られ、工事会社に付託予定の工事に必要な資材からそのコードが示す資材が検索され、検索された資材を取付ける工事の工事票データ中の行先が該資材への貼付の為に印刷され、工事票データを特定するコードを含む計器工事票が印刷される。ＰＤＡにより、現場で計器工事票からコードが読取られ（Ｓ５１６）資材に付されたコードが読取られ（Ｓ５２５）該コードが示す資材の一致が判定され（Ｓ５２６，７）一致との判定の場合その旨の完了コードが出力される（Ｓ５３１，２）。サーバにより、ＰＤＡからの完了コードの受取で工事の検査の終了の旨が記憶される。【選択図】図７
2007156717.tif 000002
【特許請求の範囲】
【請求項１】
資材を取付ける工事場所で、工事に用いられる前記資材を識別するための第１の資材識別情報が予め記録された工事記録媒体から該第１の資材識別情報を読取り、前記資材を識別可能な該資材に予め付された第２の資材識別情報を読取る読取手段と、
前記読取手段によって読取られた前記第１の資材識別情報で示される資材および前記第２の資材識別情報で示される資材が一致するか否かを判定する判定手段と、
前記判定手段によって一致すると判定された場合、一致した旨を示す一致情報を出力する出力手段とを備える、工事管理装置。
【請求項２】
前記工事記録媒体および前記資材は、工事依頼者から受取られ、
前記一致情報は、前記工事依頼者に受け渡される、請求項１に記載の工事管理装置。
【請求項３】
前記工事の結果に関する情報を暗号化することによって前記一致情報を生成する暗号化手段をさらに備え、
前記出力手段は、前記暗号化手段によって生成された前記一致情報を出力する、請求項２に記載の工事管理装置。
【請求項４】
前記暗号化手段によって暗号化される前記工事の結果に関する情報は、前記工事の際に前記読取手段によって前記第１の資材識別情報または前記第２の資材識別情報が読取られた日時の情報を含む、請求項３に記載の工事管理装置。
【請求項５】
前記第１の資材識別情報および前記第２の資材識別情報は、２次元バーコードであり、
前記工事記録媒体は、紙である、請求項１から請求項４に記載の工事管理装置。
【請求項６】
前記工事管理装置は、携帯情報端末で構成される、請求項１から請求項５までのいずれかに記載の工事管理装置。
【請求項７】
工事依頼者によって用いられる工事管理サーバと、工事施工者によって用いられる工事管理装置とを含む工事管理システムであって、
前記工事管理サーバは、
資材の組合せおよび該資材を取付ける工事場所を示す設計データを受付ける設計データ受付手段と、
前記設計データ受付手段によって受付けられた前記設計データで示される組合せの前記資材に貼り付けるための該資材を識別可能な資材識別情報を該資材に付するために出力する資材識別情報出力手段と、
前記資材に付された前記資材識別情報を読取る資材識別情報読取手段と、
前記工事施工者に付託予定の工事に必要な前記資材のうちから、前記資材識別情報読取手段によって読取られた前記資材識別情報によって示される資材を検索する検索手段と、
前記検索手段によって検索された前記資材の前記設計データに含まれる前記工事場所を、該資材に付するために出力する工事場所出力手段と、
前記設計データを特定するための工事特定情報を記録した記録媒体であって前記資材とともに前記工事施工者に引渡される記録媒体である工事記録媒体を出力する工事記録媒体出力手段とを備え、
前記工事管理装置は、
前記工事場所で、前記工事記録媒体から前記工事特定情報を読取り、前記資材に付された前記資材識別情報を読取る読取手段と、
前記読取手段によって読取られた前記工事特定情報で示される資材の組合せおよび前記資材識別情報で示される資材が一致するか否かを判定する判定手段と、
前記判定手段によって一致すると判定された場合、一致した旨を示す一致情報を出力する一致情報出力手段とを備え、
前記工事管理サーバは、さらに、
前記工事管理装置から前記一致情報を受取ったことを条件として、前記工事の検査が終了した旨を記憶する記憶手段を備える、工事管理システム。
【請求項８】
前記工事依頼者は、電力を顧客に供給する電力会社であり、
前記資材は、前記顧客の前記電力の使用量を計測するために用いられる変成器および計器であり、
前記工事施工者は、前記顧客が前記電力会社との間で電力を売買することができるように前記資材を取付ける工事をする工事会社であり、
前記変成器および前記計器の組合せには、合番号が付され、
前記工事特定情報には、前記合番号が含まれる、請求項７に記載の工事管理システム。
【請求項９】
前記工事管理サーバは、
前記設計データ受付手段によって受付けられた前記設計データで示される組合せの前記資材を、前記資材を前記電力会社に供給する資材会社に発注する発注手段をさらに備え、
前記資材会社に備えられる資材管理装置は、
前記電力会社からの発注に応じた前記資材に貼り付けるための前記資材識別情報を出力する前記資材識別情報出力手段と、
前記電力会社からの発注に応じた前記資材の前記合番号を電力会社に送信する送信手段とを備え、
前記工事記録媒体出力手段は、前記資材管理装置から送信されてきた前記合番号を含む前記工事特定情報を記録した前記工事記録媒体を出力する、請求項８に記載の工事管理システム。
【請求項１０】
前記工事管理装置は、
前記読取手段によって前記工事特定情報または前記資材識別情報が読取られた読取日時を含む前記工事の結果に関する情報を暗号化することによって前記一致情報を生成する暗号化手段をさらに備え、
前記一致情報出力手段は、前記暗号化手段によって生成された前記一致情報を出力し、
前記工事管理サーバは、
前記工事管理装置から受取った前記一致情報を復号する復号手段をさらに備え、
前記記憶手段は、前記復号手段によって復号された前記読取日時が妥当な場合、前記工事の検査が終了した旨を記憶する、請求項７から請求項９までのいずれかに記載の工事管理システム。
【請求項１１】
前記資材識別情報読取手段は、前記工事管理サーバと通信可能な携帯情報端末である、請求項７から請求項１０までのいずれかに記載の工事管理システム。
【請求項１２】
前記工事管理装置は、携帯情報端末である、請求項７から請求項１１までのいずれかに記載の工事管理システム。
【請求項１３】
工事依頼者によって用いられる工事管理サーバであって、
資材の組合せおよび該資材を取付ける工事場所を示す設計データを受付ける設計データ受付手段と、
前記設計データ受付手段によって受付けられた前記設計データで示される組合せの前記資材に貼り付けるための該資材を識別可能な資材識別情報を該資材に付するために出力する資材識別情報出力手段と、
前記資材に付された前記資材識別情報を読取る資材識別情報読取手段と、
前記工事施工者に付託予定の工事に必要な前記資材のうちから、前記資材識別情報読取手段によって読取られた前記資材識別情報によって示される資材を検索する検索手段と、
前記検索手段によって検索された前記資材の前記設計データに含まれる前記工事場所を、該資材に付するために出力する工事場所出力手段と、
前記設計データを特定するための工事特定情報を記録した記録媒体であって前記資材とともに前記工事施工者に引渡される記録媒体である工事記録媒体を出力する工事記録媒体出力手段と、
工事施工者によって用いられる工事管理装置によって前記工事場所で前記工事記録媒体から読取られた前記工事特定情報で示される前記資材の組合せおよび前記工事場所で読取られた前記資材に付された前記資材識別情報で示される前記資材が一致すると判定された場合に前記工事管理装置から出力された一致した旨を示す一致情報を受取ったことを条件として、前記工事の検査が終了した旨を記憶する記憶手段とを備える、工事管理サーバ。
【発明の詳細な説明】
【技術分野】
【０００１】
本発明は、工事管理装置、工事管理システム、および、工事管理サーバに関し、特に、資材を管理するのに適した工事管理装置、工事管理システム、および、工事管理サーバに関する。
【背景技術】
【０００２】
従来、所定の資材が所定の場所に取付けられているかの確認は、工事現場で、図面と資材の銘板とを目視で照合することによって行なわれていた。このため、図面の見落としや銘板の読み違いなどによって、誤まった資材を取付けてしまうといった問題があった。
【０００３】
特許文献１には、資材にバーコードを付して、工事の進行に伴なって、資材に付されたバーコードを読取ることによって、工事の履歴を管理するシステムが開示されている。このシステムによれば、各資材の管理が容易にかつ正確に行なうことができる。
【特許文献１】特開平７−１１３３２４号公報（第００１０段落から第００１１段落）
【発明の開示】
【発明が解決しようとする課題】
【０００４】
特許文献１に記載の技術によれば、各作業者は、ワーカーズトランスミッターを常に保持する必要がある。また、工事を管理する管理コンピュータが有線接続される無線ユニットとワーカーズトランスミッターとの間は、常に通信が可能でなければならない。このため、ある敷地内の１つの建物の建築現場内で大勢の作業者が作業する環境は、特許文献１に記載のシステムを用いるのに適している。
【０００５】
しかし、特許文献１に開示されているシステムを用いるために、複数の都道府県に亘る広範な領域の不特定多数の工事現場でそれぞれ少数の作業者が行なう工事の各現場に無線ユニットや管理コンピュータを設置することは、無意味にシステムの構成が大規模かつ複雑となるため現実的ではない。
【０００６】
この発明は上述の問題点を解決するためになされたもので、この発明の目的の１つは、工事場所が広範な領域に亘る場合であっても適切な資材の取付けを容易に管理することが可能な工事管理装置、工事管理システム、および、工事管理サーバを提供することである。
【課題を解決するための手段】
【０００７】
上述した問題を解決するために、この発明のある局面によれば、工事管理装置は、読取部と、判定部と、出力部とを備える。読取部は、資材を取付ける工事場所で、工事に用いられる資材を識別するための第１の資材識別情報が予め記録された工事記録媒体から該第１の資材識別情報を読取り、資材を識別可能な該資材に予め付された第２の資材識別情報を読取る。判定部は、読取部によって読取られた第１の資材識別情報で示される資材および第２の資材識別情報で示される資材が一致するか否かを判定する。出力部は、判定部によって一致すると判定された場合、一致した旨を示す一致情報を出力する。
【０００８】
この発明に従えば、工事管理装置によって、資材を取付ける工事場所で、工事に用いられる資材を識別するための第１の資材識別情報が予め記録された工事記録媒体から該第１の資材識別情報が読取られ、資材を識別可能な該資材に予め付された第２の資材識別情報が読取られ、読取られた第１の資材識別情報で示される資材および第２の資材識別情報で示される資材が一致するか否かが判定され、一致すると判定された場合、一致した旨を示す一致情報が出力される。
【０００９】
このため、工事場所がどこであっても、工事記録媒体と資材とが工事場所にある限り、資材が適切であることが容易に確認できる。その結果、工事場所が広範な領域に亘る場合であっても、適切な資材の取付けを容易に管理することが可能な工事管理装置を提供することができる。
【００１０】
好ましくは、工事記録媒体および資材は、工事依頼者から受取られ、一致情報は、工事依頼者に受け渡される。
【００１１】
この発明に従えば、工事依頼者から受取られた工事記録媒体および資材に基づいて工事が行なわれるようにすることができる。また、適正な資材の取付けが行なわれたことを、その工事依頼者に伝達することができる。
【００１２】
好ましくは、工事管理装置は、工事の結果に関する情報を暗号化することによって一致情報を生成する暗号化部をさらに備える。出力部は、暗号化部によって生成された一致情報を出力する。
【００１３】
この発明に従えば、工事管理装置によって、工事の結果に関する情報が暗号化されることによって一致情報が生成され、生成された一致情報が出力される。このため、暗号化されない場合は、工事の結果に関する情報が改変されるおそれがあるが、暗号化されるので、工事の結果に関する情報を改変されずに工事依頼者に伝達されるようにすることができる。
【００１４】
好ましくは、暗号化部によって暗号化される工事の結果に関する情報は、工事の際に読取部によって第１の資材識別情報または第２の資材識別情報が読取られた日時の情報を含む。
【００１５】
この発明に従えば、第１の資材識別情報または第２の資材識別情報が読取られた日時と、工事が実施されるべき日時との関係を、工事依頼者が確認することができる。このため、工事が妥当な日時に行なわれたか否かを工事依頼者に確認させることができる。
【００１６】
好ましくは、第１の資材識別情報および第２の資材識別情報は、２次元バーコードであり、工事記録媒体は、紙である。
【００１７】
好ましくは、工事管理装置は、携帯情報端末で構成される。
この発明の他の局面によれば、工事管理システムは、工事依頼者によって用いられる工事管理サーバと、工事施工者によって用いられる工事管理装置とを含む。工事管理サーバは、設計データ受付部と、資材識別情報出力部と、資材識別情報読取部と、検索部と、工事場所出力部と、工事記録媒体出力部とを備える。工事管理装置は、読取部と、判定部と、一致情報出力部とを備える。工事管理サーバは、さらに、記憶部を備える。
【００１８】
設計データ受付部は、資材の組合せおよび該資材を取付ける工事場所を示す設計データを受付ける。資材識別情報出力部は、設計データ受付部よって受付けられた設計データで示される組合せの資材に貼り付けるための該資材を識別可能な資材識別情報を該資材に付するために出力する。
【００１９】
資材識別情報読取部は、資材に付された資材識別情報を読取る。検索部は、工事施工者に付託予定の工事に必要な資材のうちから、資材識別情報読取部よって読取られた資材識別情報によって示される資材を検索する。工事場所出力部は、検索部よって検索された資材の設計データに含まれる工事場所を、該資材に付するために出力する。工事記録媒体出力部は、設計データを特定するための工事特定情報を記録した記録媒体であって資材とともに工事施工者に引渡される記録媒体である工事記録媒体を出力する。
【００２０】
読取部は、工事場所で、工事記録媒体から工事特定情報を読取り、資材に付された資材識別情報を読取る。判定部は、読取部よって読取られた工事特定情報で示される資材の組合せおよび資材識別情報で示される資材が一致するか否かを判定する。一致情報出力部は、判定部よって一致すると判定された場合、一致した旨を示す一致情報を出力する。記憶部は、工事管理装置から一致情報を受取ったことを条件として、工事の検査が終了した旨を記憶する。
【００２１】
この発明に従えば、工事管理サーバによって、資材の組合せおよび該資材を取付ける工事場所を示す設計データが受付けられ、受付けられた設計データで示される組合せの資材に貼り付けるための該資材を識別可能な資材識別情報が該資材に付されるために出力される。
【００２２】
また、資材に付された資材識別情報が読取られ、工事施工者に付託予定の工事に必要な資材のうちから、読取られた資材識別情報によって示される資材が検索され、検索された資材の設計データに含まれる工事場所が、該資材に付されるために出力され、設計データを特定するための工事特定情報を記録した記録媒体であって資材とともに工事施工者に引渡される記録媒体である工事記録媒体が出力される。
【００２３】
また、工事管理装置によって、工事場所で、工事記録媒体から工事特定情報が読取られ、資材に付された資材識別情報が読取られ、読取られた工事特定情報で示される資材の組合せおよび資材識別情報で示される資材が一致するか否かが判定され、一致すると判定された場合、一致した旨を示す一致情報が出力される。また、工事管理サーバによって、工事管理装置から一致情報が受取られたことを条件として、工事の検査が終了した旨が記憶される。
【００２４】
このため、工事場所がどこであっても、工事記録媒体と資材とが工事場所にある限り、資材が適切であることが容易に確認できる。その結果、工事場所が広範な領域に亘る場合であっても、適切な資材の取付を容易に管理することが可能な工事管理システムを提供することができる。
【００２５】
好ましくは、工事依頼者は、電力を顧客に供給する電力会社であり、資材は、顧客の電力の使用量を計測するために用いられる変成器および計器であり、工事施工者は、顧客が電力会社との間で電力を売買することができるように資材を取付ける工事をする工事会社であり、変成器および計器の組合せには、合番号が付され、工事特定情報には、合番号が含まれる。
【００２６】
この発明に従えば、変成器および計器の組合せが適正となるように資材の取付を管理することができる。
【００２７】
好ましくは、工事管理サーバは、設計データ受付部によって受付けられた設計データで示される組合せの資材を、資材を電力会社に供給する資材会社に発注する発注部をさらに備える。資材会社に備えられる資材管理装置は、電力会社からの発注に応じた資材に貼り付けるための資材識別情報を出力する資材識別情報出力部と、電力会社からの発注に応じた資材の合番号を電力会社に送信する送信部とを備える。工事記録媒体出力部は、資材管理装置から送信されてきた合番号を含む工事特定情報を記録した工事記録媒体を出力する。
【００２８】
好ましくは、工事管理装置は、読取部によって工事特定情報または資材識別情報が読取られた読取日時を含む工事の結果に関する情報を暗号化することによって一致情報を生成する暗号化部をさらに備える。一致情報出力部は、暗号化部によって生成された一致情報を出力する。工事管理サーバは、工事管理装置から受取った一致情報を復号する復号部をさらに備える。記憶部は、復号部によって復号された読取日時が妥当な場合、工事の検査が終了した旨を記憶する。
【００２９】
この発明に従えば、工事管理装置によって、工事特定情報または資材識別情報が読取られた読取日時を含む工事の結果に関する情報が暗号化されることによって一致情報が生成され、生成された一致情報が出力される。また、工事管理サーバによって、工事管理装置から受取った一致情報が復号され、復号された読取日時が妥当な場合、工事の検査が終了した旨が記憶される。このため、読取日時が改竄されずに工事管理サーバに伝達される。その結果、さらに適切に資材の取付を管理することができる。
【００３０】
好ましくは、資材識別情報読取部は、工事管理サーバと通信可能な携帯情報端末である。また、好ましくは、工事管理装置は、携帯情報端末である。
【００３１】
この発明のさらに他の局面によれば、工事管理サーバは、工事依頼者によって用いられる。工事管理サーバは、設計データ受付部と、資材識別情報出力部と、資材識別情報読取部と、検索部と、工事場所出力部と、工事記録媒体出力部と、記憶部とを備える。
【００３２】
設計データ受付部は、資材の組合せおよび該資材を取付ける工事場所を示す設計データを受付ける。資材識別情報出力部は、設計データ受付部によって受付けられた設計データで示される組合せの資材に貼り付けるための該資材を識別可能な資材識別情報を該資材に付するために出力する。
【００３３】
資材識別情報読取部は、資材に付された資材識別情報を読取る。検索部は、工事施工者に付託予定の工事に必要な資材のうちから、資材識別情報読取部によって読取られた資材識別情報によって示される資材を検索する。工事場所出力部は、検索部によって検索された資材の設計データに含まれる工事場所を、該資材に付するために出力する。工事記録媒体出力部は、設計データを特定するための工事特定情報を記録した記録媒体であって資材とともに工事施工者に引渡される記録媒体である工事記録媒体を出力する。
【００３４】
記憶部は、工事施工者によって用いられる工事管理装置によって工事場所で工事記録媒体から読取られた工事特定情報で示される資材の組合せおよび工事場所で読取られた資材に付された資材識別情報で示される資材が一致すると判定された場合に工事管理装置から出力された一致した旨を示す一致情報を受取ったことを条件として、工事の検査が終了した旨を記憶する。
【００３５】
この発明に従えば、工事場所がどこであっても、工事記録媒体と資材とが工事場所にある限り、資材が適切であることが容易に確認できる。その結果、工事場所が広範な領域に亘る場合であっても、適切な資材の取付けを容易に管理することが可能な工事管理サーバを提供することができる。
【発明を実施するための最良の形態】
【００３６】
以下、この発明の実施の形態について、図面を参照しながら詳細に説明する。なお、図中の同一または相当部分については、同一符号を付してその説明は繰返さない。
【００３７】
図１は、この発明の実施の形態における工事管理システム１の概略を示す概略図である。
【００３８】
図１を参照して、工事管理システム１は、電力会社に設置される機器と、資材会社に設置される機器と、工事会社に設置される機器とを含む。電力会社に設置される機器は、工事管理サーバ１００と、携帯情報端末（以下、ＰＤＡ（Personal Digital Assistance）という）２００と、携帯プリンタ３００とを含む。資材会社に設置される機器は、資材管理装置４００を含む。工事会社に設置される機器は、ＰＤＡ５００を含む。
【００３９】
工事管理サーバ１００および資材管理装置４００は、通信ネットワーク９００によって通信可能なように接続される。工事管理サーバ１００およびＰＤＡ２００は、メモリカードを介して、互いに、データをやり取りすることが可能である。メモリカードとしては、たとえば、ＳＤメモリカードを用いることができる。ＰＤＡ２００および携帯プリンタ３００は、無線で通信可能である。
【００４０】
なお、工事管理サーバ１００とＰＤＡ２００との間、および、ＰＤＡ２００と携帯プリンタ３００との間のデータのやり取りの方法は、データをやり取りできる方法であれば、他の方法であってもよい。たとえば、メモリカードを介した方法、無線を用いた方法、または、ケーブルを用いた有線での方法であってもよい。
【００４１】
まず、電力会社では、工事管理サーバ１００で、顧客の電力の使用量を計測するための変成器および計器を含む回路が設計される。顧客が電力会社から高圧で受電する場合は、そのままの電圧や電流では電力量を計測することができないため、変成器が用いられて、受電した電力の電圧や電流が下げられて計器に供給されて、電力量が計測される。
【００４２】
なお、計測された電力量は、変成器で変更された倍率に応じて、実際に使用された電力量に変換される。たとえば、受電した電力が６６００Ｖで５０Ａである場合に、変成器で、電圧を１／６０、電流を１／１０にして、１１０Ｖ５Ａの電力として計器で計測する。そして、計測された電力量を６０×１０＝６００倍した値が実際に使用された電力量として計測される。
【００４３】
そして、設計された内容を示す工事票データ１１が工事管理サーバ１００から資材管理装置４００に受け渡されることによって、工事に必要な資材が発注される。なお、資材管理装置４００に受け渡されるデータには、変成器および計器など資材会社から供給される資材に関するデータが少なくとも含まれていればよい。
【００４４】
次に、資材会社では、電力会社から受けた資材に関するデータに基づいた変成器および計器について検定所で検査を受ける。この検査は、変成器および計器が適正であるか否かを確認するためのものであって、定期的に受けることが法律で義務付けられている。
【００４５】
顧客が電力会社から受電した電力は、変成器で所定の電圧と電流とに変換されて、計器で電力量が計測される。このため、適正な組合せの変成器および計器が用いられることによって、正しい値の電力量が計測される。
【００４６】
この検査で合格した場合は、変成器および計器の組合せに対して検定所から合番号が交付される。なお、変成器および計器の組合せは、１対１の組合せに限らず、１対多、多対多の組合せがある。
【００４７】
そして、交付された合番号が資材管理装置４００に入力される。次いで、合番号を含む資材情報が、資材管理装置４００から工事管理サーバ１００に受け渡される。また、資材管理装置４００によって、バーコードシール３１Ａ，Ｂが印刷される。
【００４８】
図１３は、この発明の実施の形態における計器２１Ａに貼付けられるバーコードシール３１Ａの一例を示す図である。
【００４９】
図１４は、この発明の実施の形態における変成器２１Ｂに貼付けられるバーコードシール３１Ｂの一例を示す図である。
【００５０】
図１３および図１４を参照して、バーコードシール３１Ａ，３１Ｂには、資材情報、および、資材情報をコード化した２次元コード（本実施の形態においては、ＱＲ（Quick Response）コード（Ｒ））などの資材情報を識別するための識別情報が含まれる。
【００５１】
なお、バーコードシール３１Ａ，Ｂには、識別情報が含まれていればよいが、資材情報も含めておくことによって、万一、汚れや破損等によって識別情報が解読不能な状態となった場合であっても、資材情報を直接入力することによって、識別情報を読取る装置に、識別情報で示される情報を入力することができる。
【００５２】
図１に戻って、印刷されたバーコードシール３１Ａ，Ｂは、それぞれ、計器２１Ａおよび変成器２１Ｂに貼付けられる。本実施の形態においては、バーコードシール３１Ａ，３１Ｂの貼付け位置は、計器２１Ａについては、計器の下部側面であり、変成器２１Ｂについては、銘板横の２次側端子側であることが好ましい。
【００５３】
これは、設置後においてもコードの読取りが可能なことや、視認性がよいことや、変成器の２次側は１次側と比較して低電圧のため危険がより少ないことなどの理由による。
【００５４】
バーコードシール３１Ａ，Ｂがそれぞれ貼付けられた計器２１Ａおよび変成器２１Ｂである計器２２Ａおよび変成器２２Ｂは、資材会社から電力会社に納品される。
【００５５】
電力会社では、資材会社から電力会社に納品された計器２２Ａおよび変成器２２Ｂの資材情報１２および工事票データ１１が、工事管理サーバ１００からＰＤＡ２００に予め送信される。
【００５６】
次いで、ＰＤＡ２００によって、計器２２Ａおよび変成器２２Ｂのそれぞれに貼付けられたバーコードシール３１Ａ，Ｂから識別情報が読取られる。そして、ＰＤＡ２００によって、資材情報１２や工事票データ１１が参照されることにより、読取られた識別情報に応じた工事票データ１１に、識別情報が読取られた資材が引当てられる。
【００５７】
そして、ＰＤＡ２００によって、資材が引当てられた工事票データ１１から当該資材の行先に関する情報などが読出される。読出された情報は、ＰＤＡ２００から携帯プリンタ３００に送信され、携帯プリンタ３００によって行先カード４１Ａ，Ｂとして印刷される。印刷された行先カード４１Ａ，Ｂは、それぞれ、計器２２Ａおよび変成器２２Ｂに貼付けられる。
【００５８】
また、ＰＤＡ２００によって、資材が引当てられた後に、引当てられた資材に関する情報が、ＰＤＡ２００から工事管理サーバ１００に送信される。そして、工事管理サーバ１００によって、工事票データ１１および引当てられた資材に関する情報に基づいて、計器工事票５１が印刷される。
【００５９】
行先カード４１Ａ，Ｂがそれぞれ貼付けられた計器２２Ａおよび変成器２２Ｂである計器２３Ａおよび変成器２３Ｂを顧客の受電設備に取付ける工事は、電力会社から工事会社に付託される。このため、計器２３Ａおよび変成器２３Ｂは、電力会社から工事会社に受渡される。この際に、計器工事票５１も、電力会社から工事会社に受渡される。
【００６０】
次に、工事会社は、電力会社から受渡された計器２３Ａおよび変成器２３Ｂを、顧客の受電設備の工事現場まで運搬し、計器工事票５１に記載された工事指示に基づいて、計器２３Ａおよび変成器２３Ｂを取付ける工事を施工する。この際に、工事会社のＰＤＡ５００によって、計器工事票５１、計器２３Ａおよび変成器２３Ｂに付された識別情報が読取られる。
【００６１】
そして、計器工事票５１の識別情報で示される内容と、計器２３Ａおよび変成器２３Ｂの識別情報で示される内容とが整合している場合に、ＰＤＡ５００の画面に完了コード６１が表示されることによって、ＰＤＡ５００から完了コード６１が出力される。完了コード６１は、識別情報が読取られた日時や工事番号などが暗号化されたコードである。工事会社の工事の担当者は、この完了コード６１を電力会社に報告する。
【００６２】
電力会社では、完了コード６１が復号され、工事番号や日時が妥当であるか否かが確認される。妥当であると判断された場合、工事が正確に行なわれたと判断して、工事代金を工事会社に支払う手続や工事結果を登録する処理が行なわれる。
【００６３】
図２は、この発明の実施の形態における工事管理サーバ１００の構成の概略を示すブロック図である。
【００６４】
図２を参照して、工事管理サーバ１００は、ＣＰＵ（Central Processing Unit）１１０と、メモリ１２０と、入力部１３０と、出力部１４０と、通信部１５０と、外部記憶装置１６０とを含む。ＣＰＵ１１０、メモリ１２０、入力部１３０、出力部１４０、通信部１５０、および、外部記憶装置１６０は、互いにバスで接続される。工事管理サーバ１００は、ＰＣやワークステーション等の一般的なコンピュータで構成することができる。
【００６５】
ＣＰＵ１１０は、メモリ１２０に記憶されたプログラムに従って、メモリ１２０、入力部１３０、通信部１５０、または、外部記憶装置１６０から入力されたデータを処理して、メモリ１２０、出力部１４０、通信部１５０、または、外部記憶装置１６０に、処理されたデータを出力する。
【００６６】
メモリ１２０は、半導体素子で電気的に記録を行なうＲＡＭ（Random Access Memory）およびＲＯＭ（Read Only Memory）で構成される。また、外部記憶装置１６０のハードディスクの記録領域の一部が仮想的なメモリとして用いられる場合がある。メモリ１２０は、ＣＰＵ１１０で実行されるプログラム、プログラムの処理対象のデータ、プログラムが実行されるときの一時的なデータ、および、プログラムの実行結果のデータを記憶する。
【００６７】
入力部１３０は、キーボードおよびマウスの入力装置で構成される。入力部１３０は、ユーザからのデータの入力を受付けて、受付けたデータをＣＰＵ１１０に出力する。
【００６８】
出力部１４０は、ディスプレイおよびプリンタの出力装置で構成される。出力部１４０は、ＣＰＵ１１０から受けた情報をユーザに報知するために、情報を画像として表示したり、情報を紙に印刷したりすることによって、情報を出力する。
【００６９】
通信部１５０は、ネットワークアダプタ、ターミナルアダプタ、モデム、無線ＬＡＮアダプタ、または、トランシーバなどの通信装置で構成される。通信部１５０は、ＣＰＵ１１０から受けたデータを通信ネットワーク９００を介して他のコンピュータに送信したり、他のコンピュータから通信ネットワーク９００を介して受信したデータをＣＰＵ１１０に出力したりする。
【００７０】
外部記憶装置１６０は、ハードディスクドライブ、フレキシブルディスクドライブ、ＭＯ（Magneto-Optical disk）ドライブ、ＣＤ（Compact Disc）ドライブ、ＤＶＤ（Digital Versatile Disk）ドライブ、または、メモリカードドライブなどの記憶装置で構成される。
【００７１】
外部記憶装置１６０は、ＣＰＵ１１０から受けた所定のデータまたはプログラムを、記録媒体１６１に磁気的、光学的、または電気的に記録したり、記録媒体１６１から読出してＣＰＵ１１０に受け渡したりする。記録媒体１６１としては、フレキシブルディスク、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＤＶＤ−ＲＡＭ、ＤＶＤ＋Ｒ、ＤＶＤ＋ＲＷ、ＳＤメモリカードなどがある。
【００７２】
なお、資材管理装置４００の構成は、工事管理サーバ１００の構成と同様であるので、重複する説明は繰返さない。
【００７３】
図３は、この発明の実施の形態におけるＰＤＡ２００の構成の概略を示すブロック図である。
【００７４】
図３を参照して、ＣＰＵ２１０、および、メモリ２２０の構成および機能は、図２で説明した工事管理サーバ１００のＣＰＵ１１０およびメモリ１２０の構成および機能と同様であるので、重複する説明は繰返さない。
【００７５】
入力部２３０は、タッチパネルや操作ボタンやカメラの入力装置で構成される。入力部２３０の機能は、図２で説明した工事管理サーバ１００の入力部１３０の機能と同様であるので、重複する説明は繰返さない。
【００７６】
出力部２４０は、ディスプレイの出力装置で構成される。出力部２４０は、ＣＰＵ２１０から受けた情報をユーザに報知するために、情報を画像として表示することによって、情報を出力する。
【００７７】
通信部２５０は、無線ＬＡＮアダプタ、または、トランシーバなどの通信装置で構成される。通信部２５０は、ＣＰＵ２１０から受けたデータを無線で他のコンピュータに送信したり、他のコンピュータから無線で受信したデータをＣＰＵ２１０に出力したりする。
【００７８】
ここでは、ＰＤＡ２００は、工事管理サーバ１００および携帯プリンタ３００と通信する。なお、本実施の形態においては、無線で通信するようにするが、これに限定されず、有線で通信するようにしてもよい。
【００７９】
外部記憶装置２６０は、メモリカードドライブの記憶装置で構成される。外部記憶装置２６０は、ＣＰＵ２１０から受けた所定のデータまたはプログラムを、記憶媒体２６１に電気的に記録したり、記録媒体２６１から読出してＣＰＵ２１０に受け渡したりする。記録媒体２６１としては、ＳＤメモリカードなどがある。
【００８０】
なお、ＰＤＡ５００の構成は、ＰＤＡ２００の構成と同様であるので、重複する説明は繰返さない。
【００８１】
図４は、この発明の実施の形態における工事管理サーバ１００で実行されるサーバ処理の流れを示すフローチャートである。
【００８２】
図４を参照して、まず、ステップＳ１１１で、工事管理サーバ１００のＣＰＵ１１０は、運行管理画面を出力部１４０のディスプレイに表示させる。
【００８３】
図８は、この発明の実施の形態における工事管理サーバ１００で表示される運行管理画面を示す表示画面図である。
【００８４】
図８を参照して、運行管理画面には、各工事の工事票データの工事情報を羅列した表が表示される。各工事票データの工事情報には、それぞれ、工事票ナンバー、お客さま番号、お客さま名、受電電圧、至近検満年月、工程などの情報が含まれる。
【００８５】
工事票ナンバーは、各工事に一意に割振られる番号である。至近検満年月は、変成器または計器の検査の有効期間が満了する年月である。工程は、工事が行なわれる工程であって、設計中、付託待、工事完了待、および、ホスト登録待の工程が含まれる。
【００８６】
設計中とは、工事が行なわれる回路の構成や資材の仕様や工事日程などを設計中であることを示す工程である。付託待とは、設計が完了してから工事が工事会社に付託されるまでの工程である。工事完了待とは、工事が付託されてから工事が完了するまでの工程である。ホスト登録待とは、工事が完了してから工事の結果などが工事管理サーバ１００と接続された外部記憶装置に登録されるまでの工程である。
【００８７】
たとえば、選択状態となっている「６７」番目の行には、工事票ナンバー、お客さま番号、お客さま名、受電電圧、至近検満年月、および、工程の欄に、それぞれ、「０５００７６」「０−１１−０２５４−××××××−６１」「ア××××××」「６．６ｋ」「０５／１０」および「付託待」が表示されている。
【００８８】
運行管理画面の工事票データの表の上部には、「メイン工程」の欄と、「検索」の欄とが表示される。「メイン工程」の欄には、設計中、付託待、工事完了待、および、ホスト登録待の各工程のそれぞれに含まれている工事の件数が表示される。たとえば、設計中、付託待、工事完了待、および、ホスト登録待の件数が、それぞれ、「３６４」「１２０」「４６」「２２」件であることが表示されている。
【００８９】
「検索」の欄には、検索条件を入力するための複数のテキストボックスが設けられる。そして、「検索」の欄のＧＵＩ（Graphical User Interface）のボタンである「検索」ボタンが操作されることによって、入力された検索条件に応じた工事票データが検索される。
【００９０】
また、運行管理画面には、ＧＵＩのボタンとして、「照会」、「計器工事票印刷」、「↓↓↓ＰＤＡ」、「↑↑↑ＰＤＡ」、「新規作成」、および、「修正」などのボタンが表示される。
【００９１】
図４に戻って、ステップＳ１１２で、ＣＰＵ１１０は、工事情報のいずれかが選択状態になっているか否かを判断する。いずれの工事票データの工事情報も選択状態になっていないと判断した場合（ステップＳ１１２でＮＯの場合）、ＣＰＵ１１０は、実行する処理をステップＳ１４５に進める。
【００９２】
一方、いずれかの工事票データの工事情報が選択状態になっていると判断した場合（ステップＳ１１２でＹＥＳの場合）、ステップＳ１１３で、ＣＰＵ１１０は、「照会」ボタンが操作されたか否かを判断する。
【００９３】
「照会」ボタンが操作されたと判断した場合（ステップＳ１１３でＹＥＳの場合）、ステップＳ１１５で、ＣＰＵ１１０は、計器工事票照会処理を実行する。計器工事票照会処理は、選択状態になっている工事情報の計器工事票を表示させる処理である。
【００９４】
一方、「照会」ボタンが操作されていないと判断した場合（ステップＳ１１３でＮＯの場合）、ステップＳ１１４で、ＣＰＵ１１０は、「修正」ボタンが操作されたか否かを判断する。「修正」ボタンが操作されていないと判断した場合（ステップＳ１１４でＮＯの場合）、ＣＰＵ１１０は、実行する処理をステップＳ１４１に進める。
【００９５】
一方、「修正」ボタンが操作されたと判断した場合（ステップＳ１１４でＹＥＳの場合）、ステップＳ１２０で、ＣＰＵ１１０は、計器工事票作成処理を実行する。
【００９６】
図５は、この発明の実施の形態において工事管理サーバ１００で実行される計器工事票作成処理の流れを示すフローチャートである。
【００９７】
図５を参照して、計器工事票作成処理において、まず、ステップＳ１２１で、ＣＰＵ１１０は、計器工事票作成画面を出力部１４０のディスプレイに出力する。
【００９８】
図９は、この発明の実施の形態における工事管理サーバ１００で表示される計器工事票作成画面を示す第１の表示画面図である。
【００９９】
図９を参照して、計器工事票作成画面には、運行管理画面で選択された工事票データの内容が表示される。画面の上部には、顧客に関する情報が表示される。画面の下部は、タブを選択して、「変成器・計器」、「工事情報」、「図面情報」および「追加工事・支払」のそれぞれの画面に切替可能とされている。
【０１００】
図５に戻って、ステップＳ１２２で、ＣＰＵ１１０は、計器工事票作成画面で「変成器・計器」のタブが選択されたか否かを判断する。「変成器・計器」のタブが選択されたと判断した場合（ステップＳ１２２でＹＥＳの場合）、ステップＳ１２３で、ＣＰＵ１１０は、「変成器・計器」の画面を表示する。
【０１０１】
図９に進んで、「変成器・計器」の画面は、設計された回路に用いられる変成器および計器の内訳を含む。この「変成器・計器」の画面では、変成器や計器の内訳を変更することが可能である。
【０１０２】
図５に戻って、「変成器・計器」のタブが選択されていないと判断した場合（ステップＳ１２２でＮＯの場合）、ステップＳ１２４で、ＣＰＵ１１０は、「工事情報」のタブが選択されたか否かを判断する。「工事情報」のタブが選択されたと判断した場合（ステップＳ１２４でＹＥＳの場合）、ステップＳ１２５で、ＣＰＵ１１０は、「工事情報」の画面を表示する。
【０１０３】
図１０は、この発明の実施の形態における工事管理サーバ１００で表示される計器工事票作成画面を示す第２の表示画面図である。
【０１０４】
図１０を参照して、「工事情報」の画面には、工事場所や工事日時などの工事に関する情報が表示される。この「工事情報」の画面では、工事に関する情報の内容を変更することが可能である。
【０１０５】
図５に戻って、「工事情報」のタブが選択されていないと判断した場合（ステップＳ１２４でＮＯの場合）、ステップＳ１２６で、ＣＰＵ１１０は、「図面情報」のタブが選択されたか否かを判断する。「図面情報」のタブが選択されたと判断した場合（ステップＳ１２６でＹＥＳの場合）、ステップＳ１２７で、ＣＰＵ１１０は、「図面情報」の画面を表示する。
【０１０６】
図１１は、この発明の実施の形態における工事管理サーバ１００で表示される計器工事票作成画面を示す第３の表示画面図である。
【０１０７】
図１１を参照して、「図面情報」の画面には、工事が行なわれる電力量を計測するための回路が表示される。この「図面情報」の画面では、回路の内容を変更することが可能である。
【０１０８】
図５に戻って、「図面情報」のタブが選択されていないと判断した場合（ステップＳ１２６でＮＯの場合）、ステップＳ１２８で、ＣＰＵ１１０は、「追加工事・支払」のタブが選択されたか否かを判断する。「追加工事・支払」のタブが選択されたと判断した場合（ステップＳ１２８でＹＥＳの場合）、ステップＳ１２９で、ＣＰＵ１１０は、「追加工事・支払」の画面を表示する。
【０１０９】
図１２は、この発明の実施の形態における工事管理サーバ１００で表示される計器工事票作成画面を示す第４の表示画面図である。
【０１１０】
図１２を参照して、「追加工事・支払」の画面には、工事の検査の結果を入力するための欄や、工事の対価の支払に関する情報を入力するための欄が表示される。この「追加工事・支払」の画面では、工事の検査の結果を入力したり、支払に関する情報を入力したりすることが可能である。
【０１１１】
図５に戻って、「追加工事・支払」のタブが選択されていないと判断した場合（ステップＳ１２８でＮＯの場合）、ステップＳ１３１で、ＣＰＵ１１０は、図９から図１２までで説明した画面の右下の「保存」ボタンが操作されたか否かを判断する。「保存」ボタンが操作されたと判断した場合（ステップＳ１３１でＹＥＳの場合）、ステップＳ１３２で、ＣＰＵ１１０は、図９から図１２までの画面で入力された情報を、メモリ１２０に保存する。
【０１１２】
一方、「保存」ボタンが操作されていないと判断した場合（ステップＳ１３１でＮＯの場合）、ステップＳ１３３で、ＣＰＵ１１０は、「保存」ボタンの右側の「閉じる」ボタンが操作されたか否かを判断する。「閉じる」ボタンが操作されていないと判断した場合（ステップＳ１３３でＮＯの場合）、ＣＰＵ１１０は、実行する処理をステップＳ１２２に戻す。
【０１１３】
一方、「閉じる」ボタンが操作されていないと判断した場合（ステップＳ１３３でＹＥＳの場合）、ＣＰＵ１１０は、実行する処理をこの計器工事票作成処理の呼出元の処理であるサーバ処理に戻す。
【０１１４】
図４に戻って、ステップＳ１２０の後、ＣＰＵ１１０は、実行する処理をステップＳ１１１に戻す。
【０１１５】
ステップＳ１４１に処理が進められた場合、ＣＰＵ１１０は、「↓↓↓ＰＤＡ（ダウンロード）」ボタンが操作されたか否かを判断する。ダウンロードボタンが操作されたと判断した場合（ステップＳ１４１でＹＥＳの場合）、ステップＳ１４２で、ＣＰＵ１１０は、資材引当可能な工事票データをメモリカードにダウンロードするよう外部記憶装置１６０を制御する。メモリカードにダウンロードされた工事票データは、メモリカードを介して、ＰＤＡ２００に受け渡される。ステップＳ１４２の後、ＣＰＵ１１０は、実行する処理をステップＳ１１１に戻す。
【０１１６】
一方、ダウンロードボタンが操作されていないと判断した場合（ステップＳ１４１でＮＯの場合）、実行する処理をステップＳ１４３に進める。
【０１１７】
図６は、この発明の実施の形態における電力会社のＰＤＡ２００で実行される資材引当処理の流れを示すフローチャートである。
【０１１８】
図６を参照して、まず、ステップＳ２０１で、ＣＰＵ２１０は、工事管理サーバ１００から受信した工事情報をメモリ２２０に記憶させる。
【０１１９】
次に、ステップＳ２０２で、ＣＰＵ２１０は、起動初期画面を出力部２４０のディスプレイに表示させる。起動初期画面は、ＰＤＡ用ＯＳ（Operating System）起動後の画面であり、本プログラムを起動するメニューをプログラムリストから選択できる画面である。このプログラムリストから本プログラムが選択されると、ステップＳ２１１以降の処理が実行される。
【０１２０】
次のステップＳ２１１では、ＣＰＵ２１０は、初期画面を出力部２４０のディスプレイに表示させる。
【０１２１】
図１５は、この発明の実施の形態において電力会社のＰＤＡ２００で表示される表示画面図である。
【０１２２】
図１５（Ａ）は、ステップＳ２１１で表示される初期画面を示す表示画面図である。図１５（Ａ）を参照して、初期画面には、工事に引当てる資材の識別情報の読込みを促がす旨の文章と、ＧＵＩのボタンである「読込」ボタンと「一覧」ボタンと「キャンセル」ボタンとが表示される。
【０１２３】
図６に戻って、ステップＳ２１２で、ＣＰＵ２１０は、「読込」ボタンが操作されたか否かを判断する。「読込」ボタンが操作されていないと判断した場合（ステップＳ２１２でＮＯの場合）、ＣＰＵ２１０は、実行する処理をステップＳ２１３に進める。
【０１２４】
一方、「読込」ボタンが操作されたと判断した場合（ステップＳ２１２でＹＥＳの場合）、ステップＳ２２１で、ＣＰＵ２１０は、ＰＤＡ２００の入力部２３０のバーコードリーダのバーコード読取光線の照射を開始させ、バーコードの読取りを開始する。
【０１２５】
そして、ＰＤＡ２００のバーコードリーダが用いられて、資材に貼付けられたバーコードシール３１Ａ，ＢのＱＲコードが検知される。
【０１２６】
そして、ステップＳ２２３で、ＣＰＵ２１０は、バーコードリーダでＱＲコードを検知したか否かを判断する。検知していないと判断した場合（ステップＳ２２３でＮＯの場合）、ＣＰＵ２１０は、ステップＳ２２３の処理を繰返す。
【０１２７】
一方、ＱＲコードを検知したと判断した場合（ステップＳ２２３でＹＥＳの場合）、ステップＳ２２４で、ＣＰＵ２１０は、検知したＱＲコードの内容を復元して出力部１４０のディスプレイに表示させる。
【０１２８】
図１５（Ｂ）は、ステップＳ２２４で表示される計器２２Ａに貼付けられたバーコードシール３１Ａから検知されたＱＲコードの内容を示す引当資材確認画面である。図１５（Ｃ）は、ステップＳ２２４で表示される変成器２２Ｂに貼付けられたバーコードシール３１Ｂから検知されたＱＲコードの内容を示す引当資材確認画面である。
【０１２９】
図１５（Ｂ）および図１５（Ｃ）を参照して、それぞれの引当資材確認画面には、引当てた資材の仕様の確認を促がす旨の文章と、資材の概略図と、資材の仕様の情報と、ＧＵＩボタンである「印刷」ボタンと「ＯＫ」ボタンと「キャンセル」ボタンとが表示される。
【０１３０】
図６に戻って、ステップＳ２３１で、ＣＰＵ２１０は、「印刷」ボタンが操作されたか否かを判断する。操作されたと判断した場合（ステップＳ２３１でＹＥＳの場合）、ステップＳ２３２で、ＣＰＵ２１０は、ＱＲコードで示される当該資材を引当確認済の状態としてメモリ２２０に記憶させる。
【０１３１】
そして、ＣＰＵ２１０は、ステップＳ２３３で、メモリ２２０から当該資材の行先を読出して、ステップＳ２３４で、読出した行先を印刷するために、通信部２５０から携帯プリンタ３００に印刷データを送信する。
【０１３２】
次いで、ステップＳ２３５で、ＣＰＵ２１０は、「ＯＫ」ボタンが操作されたか否かを判断する。操作されていないと判断した場合（ステップＳ２３５でＮＯの場合）、ＣＰＵ２１０は、ステップＳ２３５の処理を繰返す。一方、操作されたと判断した場合（ステップＳ２３５でＹＥＳの場合）、ＣＰＵ２１０は、実行する処理をステップＳ２１１に戻す。
【０１３３】
このように、資材からＱＲコードが読取った直後に行先カードを印刷して資材に貼り付けることによって、行先カードの貼り間違いを防止することができる。その結果、資材が間違った場所に取付けられることを防止することができる。
【０１３４】
図１６は、この発明の実施の形態における携帯プリンタ３００から出力される行先カード４１Ａ，Ｂの一例を示す図である。
【０１３５】
図１６を参照して、行先カード４１Ａ，Ｂには、工事票ナンバーやお客さま名や工事会社の名称や工事予定日や行先カード４１Ａ，Ｂが貼付けられる資材の仕様情報が印刷される。
【０１３６】
図６に戻って、一方、「印刷」ボタンが操作されていないと判断した場合（ステップＳ２３１でＮＯの場合）、ステップＳ２３６で、ＣＰＵ２１０は、「キャンセル」ボタンが操作されたか否かを判断する。操作されていないと判断した場合（ステップＳ２３６でＮＯの場合）、ＣＰＵ２１０は、実行する処理をステップＳ２３１に戻す。
【０１３７】
一方、操作されたと判断した場合（ステップＳ２３６でＹＥＳの場合）、ステップＳ２３７で、ＣＰＵ２１０は、検知されたＱＲコードの内容である引当情報をメモリ２２０から削除することによって破棄する。その後、ＣＰＵ２１０は、実行する処理をステップＳ２１１に戻す。
【０１３８】
ステップＳ２１３に処理が進められた場合、ＣＰＵ２１０は、「一覧」ボタンが操作されたか否かを判断する。「一覧」ボタンが操作されていないと判断した場合（ステップＳ２１３でＮＯの場合）、ＣＰＵ２１０は、実行する処理をステップＳ２１４に進める。
【０１３９】
一方、「一覧」ボタンが操作されたと判断した場合（ステップＳ２１３でＹＥＳの場合）、ステップＳ２４１で、ＣＰＵ２１０は、工事票一覧画面を出力部２４０のディスプレイに出力する。
【０１４０】
図１５に進んで、図１５（Ｄ）は、ステップＳ２４１で表示される工事票一覧画面を示す表示画面図である。図１５（Ｄ）を参照して、工事票一覧画面には、ＰＤＡ２００のメモリ２２０に記憶されている工事票データの一覧表と、ＧＵＩボタンとして「詳細」ボタンと「戻る」ボタンとが表示される。
【０１４１】
図６に戻って、次のステップＳ２４２で、ＣＰＵ２１０は、「戻る」ボタンが操作されたか否かを判断する。「戻る」ボタンが操作されたと判断した場合（ステップＳ２４２でＹＥＳの場合）、ＣＰＵ２１０は、実行する処理をステップＳ２１１に戻す。
【０１４２】
一方、「戻る」ボタンが操作されていないと判断した場合（ステップＳ２４２でＮＯの場合）、ステップＳ２４３で、ＣＰＵ２１０は、「詳細」ボタンが操作されたか否かを判断する。「詳細」ボタンが操作されていないと判断した場合（ステップＳ２４３でＮＯの場合）、ＣＰＵ２１０は、実行する処理をステップＳ２４２に戻す。
【０１４３】
一方、いずれかの工事票データが選択されて「詳細」ボタンが操作されたと判断した場合（ステップＳ２４３でＹＥＳの場合）、ステップＳ２４４で、ＣＰＵ２１０は、選択された工事票データの詳細を示す工事票詳細画面を出力部２４０のディスプレイに出力する。
【０１４４】
次に、ステップＳ２４５で、ＣＰＵ２１０は、工事票詳細画面で「戻る」ボタンが操作されたか否かを判断する。「戻る」ボタンが操作されていないと判断した場合（ステップＳ２４５でＮＯの場合）、ＣＰＵ２１０は、ステップＳ２４５の処理を繰返す。
【０１４５】
一方、「戻る」ボタンが操作されたと判断した場合（ステップＳ２４５でＹＥＳの場合）、ＣＰＵ２１０は、実行する処理をステップＳ２４１に戻す。
【０１４６】
ステップＳ２１４に処理が進められた場合、ＣＰＵ２１０は、初期画面で「キャンセル」ボタンが操作されたか否かを判断する。「キャンセル」ボタンが操作されていないと判断した場合（ステップＳ２１４でＮＯの場合）、ＣＰＵ２１０は、実行する処理をステップＳ２０２に戻す。
【０１４７】
一方、「キャンセル」ボタンが操作されたと判断した場合（ステップＳ２１４でＹＥＳの場合）、ステップＳ２１５で、ＣＰＵ２１０は、引当確認済とされた資材の資材情報を工事管理サーバ１００にアップロードするために送信する。その後、ＣＰＵ２１０は、この資材引当処理を終了させる。
【０１４８】
図４に戻って、ステップＳ１４３に処理が進められた場合、ＣＰＵ１１０は、運行管理画面で「計器工事票印刷」ボタンが操作されたか否かを判断する。「計器工事票印刷」ボタンが操作されていないと判断した場合（ステップＳ１４３でＮＯの場合）、ＣＰＵ１１０は、実行する処理をステップＳ１４５に進める。
【０１４９】
一方、「計器工事票印刷」ボタンが操作されたと判断した場合（ステップＳ１４３でＹＥＳの場合）、ステップＳ１４４で、ＣＰＵ１１０は、計器工事票を印刷するように出力部１４０のプリンタに印刷データを出力する。その後、ＣＰＵ１１０は、実行する処理をステップＳ１１１に戻す。
【０１５０】
ステップＳ１４５では、工事管理サーバ１００のＣＰＵ１１０は、「↑↑↑ＰＤＡ（アップロード）」ボタンが操作されたか否かを判断する。アップロードボタンが操作されていないと判断した場合（ステップＳ１４５でＮＯの場合）、ＣＰＵ１１０は、実行する処理をステップＳ１１１に戻す。
【０１５１】
一方、アップロードボタンが操作されたと判断した場合（ステップＳ１４５でＹＥＳの場合）、ステップＳ１４６で、ＣＰＵ１１０は、ＰＤＡ２００からの資材情報が記録されたメモリカードから資材情報をアップロードして、アップロードされた資材情報をメモリ１２０に記憶させる。その後、ＣＰＵ１１０は、実行する処理をステップＳ１１１に戻す。
【０１５２】
図１７は、この発明の実施の形態における工事管理サーバ１００から出力される計器工事票５１の一例を示す図である。
【０１５３】
図１７を参照して、計器工事票５１には、計器工事表作成画面で入力された設計情報と、ＰＤＡ２００で引当された資材情報と、設計情報および資材情報をコード化した２次元コードなどの識別情報が含まれる。
【０１５４】
図７は、この発明の実施の形態における工事会社のＰＤＡ５００で実行される現地取付確認処理の流れを示すフローチャートである。
【０１５５】
図７を参照して、まず、ステップＳ５１１で、工事会社のＰＤＡ５００のＣＰＵは、資材取付確認画面を出力部のディスプレイに表示させる。
【０１５６】
図１８は、この発明の実施の形態において工事会社のＰＤＡ５００で表示される表示画面図である。
【０１５７】
図１８（Ａ）は、ステップＳ５１１で表示される資材取付確認画面を示す表示画面図である。図１８（Ａ）を参照して、資材取付確認画面には、計器工事票５１の識別情報の読込みを促がす旨の文章と、計器工事票の概略図と、ＧＵＩボタンである「読込」ボタンと「キャンセル」ボタンとが表示される。
【０１５８】
図７に戻って、ステップＳ５１２で、ＰＤＡ５００のＣＰＵは、「キャンセル」ボタンが操作されたか否かを判断する。「キャンセル」ボタンが操作されたと判断した場合（ステップＳ５１２でＹＥＳの場合）、ＰＤＡ５００のＣＰＵは、この現地取付確認処理を終了させる。
【０１５９】
一方、「キャンセル」ボタンが操作されていないと判断した場合（ステップＳ５１２でＮＯの場合）、ステップＳ５１３で、ＰＤＡ５００のＣＰＵは、「読込」ボタンが操作されたか否かを判断する。「読込」ボタンが操作されていないと判断した場合（ステップＳ５１３でＮＯの場合）、ＰＤＡ５００のＣＰＵは、実行する処理をステップＳ５１２に戻す。
【０１６０】
一方、「読込」ボタンが操作されたと判断した場合（ステップＳ５１３でＹＥＳの場合）、ステップＳ５１４で、ＰＤＡ５００のＣＰＵは、入力部のバーコードリーダのバーコード読取光線の照射を開始させ、バーコードの読取りを開始する。そして、ＰＤＡ５００のバーコードリーダが用いられて、計器工事票５１のＱＲコードが検知される。
【０１６１】
そして、ステップＳ５１６で、ＰＤＡ５００のＣＰＵは、バーコードリーダでＱＲコードを検知したか否かを判断する。検知していないと判断した場合（ステップＳ５１６でＮＯの場合）、ＰＤＡ５００のＣＰＵは、実行する処理をステップＳ５１２に戻す。
【０１６２】
一方、ＱＲコードを検知したと判断した場合（ステップＳ５１６でＹＥＳの場合）、ステップＳ５１７で、ＰＤＡ５００のＣＰＵは、検知したＱＲコードの内容を復元して、復元した内容を工事票データとしてＰＤＡ５００のメモリに記憶させる。
【０１６３】
次に、ステップＳ５２１で、ＰＤＡ５００のＣＰＵは、資材取付確認中画面を出力部のディスプレイに表示させる。
【０１６４】
図１８（Ｂ）は、ステップＳ５２１で表示される資材取付確認中画面を示す表示画面図である。図１８（Ｂ）を参照して、資材取付確認中画面には、工事で取付ける資材に貼付けられているＱＲコードの読込みを促がす旨の文章と、工事で用いられる変成器のうちＱＲコードが読込まれた変成器の数を示すデータと、工事で用いられる計器のうちＱＲコードが読込みまれた計器の数を示すデータと、ＧＵＩボタンとして「読込」ボタンと「キャンセル」ボタンとが表示される。
【０１６５】
図７に戻って、ステップＳ５２２で、ＰＤＡ５００のＣＰＵは、資材取付確認中画面で「キャンセル」ボタンが操作されたか否かを判断する。「キャンセル」ボタンが操作されたと判断した場合（ステップＳ５２２でＹＥＳの場合）、ＰＤＡ５００のＣＰＵは、この現地取付確認処理を終了させる。
【０１６６】
一方、「キャンセル」ボタンが操作されていないと判断した場合（ステップＳ５２２でＮＯの場合）、ステップＳ５２３で、ＰＤＡ５００のＣＰＵは、資材取付確認中画面で「読込」ボタンが操作されたか否かを判断する。操作されていないと判断した場合（ステップＳ５２３でＮＯの場合）、ＰＤＡ５００のＣＰＵは、実行する処理をステップＳ５２２に戻す。
【０１６７】
一方、「読込」ボタンが操作されたと判断した場合（ステップＳ５２３でＹＥＳの場合）、ステップＳ５２４で、ＰＤＡ５００のＣＰＵは、ＰＤＡ５００の入力部のバーコードリーダのバーコード読取光線の照射を開始させ、バーコードの読取りを開始する。そして、ＰＤＡ５００のバーコードリーダが用いられて、資材に貼付けられたバーコードシール３１Ａ，ＢのＱＲコードが検知される。
【０１６８】
ステップＳ５２５で、ＰＤＡ５００のＣＰＵは、カメラで撮像された画像中にＱＲコードを検知したか否かを判断する。検知していないと判断した場合（ステップＳ５２５でＮＯの場合）、ＰＤＡ５００のＣＰＵは、実行する処理をステップＳ５２２に戻す。
【０１６９】
一方、ＱＲコードを検知したと判断した場合（ステップＳ５２５でＹＥＳの場合）、ステップＳ５２６で、ＰＤＡ５００のＣＰＵは、検知したＱＲコードの内容を復元して、ステップＳ５１７でメモリに記憶された工事票データの内容と一致するかを判断する。
【０１７０】
計器工事票５１のＱＲコードの内容と資材のＱＲコードの内容とが一致しないと判断した場合（ステップＳ５２７でＮＯの場合）、ＰＤＡ５００のＣＰＵは、実行する処理をステップＳ５２２に戻す。
【０１７１】
一方、計器工事票５１のＱＲコードの内容と資材のＱＲコードの内容とが一致すると判断した場合（ステップＳ５２７でＹＥＳの場合）、ステップＳ５２８で、ＰＤＡ５００のＣＰＵは、読込まれたＱＲコードに対応する資材の種別の残り資材数を１減算する。そして、ステップＳ５２９で、ＰＤＡ５００のＣＰＵは、すべての種別の残り資材数が０となったか否かを判断する。
【０１７２】
残り資材数が０となっていないと判断した場合（ステップＳ５２９でＮＯの場合）、ＰＤＡ５００のＣＰＵは、実行する処理をステップＳ５２２に戻す。
【０１７３】
一方、残り資材数が０となったと判断した場合（ステップＳ５２９でＹＥＳの場合）、ステップＳ５３１で、ＰＤＡ５００のＣＰＵは、完了コードを生成する。そして、ステップＳ５３２で、ＰＤＡ５００のＣＰＵは、生成された完了コードを含む完了コード確認画面を出力部のディスプレイに表示させる。
【０１７４】
図１８（Ｃ）は、ステップＳ５３２で表示される完了コード確認画面を示す表示画面図である。図１８（Ｃ）を参照して、完了コード確認画面には、表示される完了コードを計器工事票５１へ記入することを促がす旨の文章と、完了コードと、ＧＵＩボタンとして「キャンセル」ボタンとが表示される。
【０１７５】
図７に戻って、ステップＳ５３３で、ＰＤＡ５００のＣＰＵは、完了コード確認画面で「キャンセル」ボタンが操作されたか否かを判断する。「キャンセル」ボタンが操作されていないと判断した場合（ステップＳ５３３でＮＯの場合）、ＰＤＡ５００のＣＰＵは、ステップＳ５３３を繰返す。一方、「キャンセル」ボタンが操作されたと判断した場合（ステップＳ５３３でＹＥＳの場合）、ＰＤＡ５００のＣＰＵは、この現地取付確認処理を終了させる。
【０１７６】
このように、ＰＤＡ５００によって、ＱＲコードが読取られ、資材の組合せが確認され、資材の組合せが適正であると完了コードが出力される。このため、取付工事時に資材の組合せが適正であるか否かを確認できる。また、未確認の資材数が表示されるので、資材の確認漏れを防止できる。また、資材の銘板の情報を紙に書き写すのではないので、転記誤りを防止することができる。
【０１７７】
図１９は、この発明の実施の形態における工事管理サーバ１００で表示される計器工事票作成画面を示す第５の表示画面図である。
【０１７８】
図１９を参照して、この画面は、図１２で説明した計器工事票作成画面に、工事会社から受取った完了コードが入力された画面である。完了コードが入力されることによって、完了コードが工事日時等のデータに復号され、工事日時が表示される。この工事日時などが参照されて、工事が完了していると判断された場合は、「承認経路」の欄の「検査承認」のテキストボックスに承認者の役職と日時が入力されることによって、工事の完了が承認される。
【０１７９】
以上説明したように、本実施の形態における工事会社のＰＤＡ５００によれば、資材を取付ける工事場所で、ステップＳ５１６で説明したように、工事に用いられる資材を識別するためのＱＲコードが予め印刷された計器工事票５１からＱＲコードが読取られ、ステップＳ５２５で説明したように、資材を識別可能な該資材に予め付されたバーコードシール３１Ａ，ＢのＱＲコードが読取られ、ステップＳ５２６およびステップＳ５２７で説明したように、読取られたそれぞれのＱＲコードで示される資材が一致するか否かが判定され、一致すると判定された場合、ステップＳ５３１およびステップＳ５３２で説明したように、一致した旨を示す完了コード６１が出力される。
【０１８０】
このため、工事場所がどこであっても、計器工事票５１と資材とが工事場所にある限り、資材が適切であることが容易に確認できる。その結果、工事場所が広範な領域に亘る場合であっても、適切な資材の取付けを容易に管理することが可能なＰＤＡ５００を提供することができる。
【０１８１】
また、計器工事票５１および資材は、電力会社から受取られ、完了コード６１は、電力会社に受け渡される。
【０１８２】
このため、電力会社から受取られた計器工事票５１および資材に基づいて工事が行なわれるようにすることができる。また、適正な資材の取付けが行なわれたことを、その工事を依頼した電力会社に伝達することができる。
【０１８３】
また、ステップＳ５３１で説明したように、工事の結果に関する情報である工事日時および工事票番号が暗号化されることによって完了コードが生成され、ステップＳ５３２で説明したように、生成された完了コードが出力される。
【０１８４】
このため、暗号化されない場合は、工事会社によって工事日時などが改変され電力会社に伝達されるおそれがあるが、暗号化されるので、工事の結果に関する情報が改変されずに電力会社に伝達されるようにすることができる。
【０１８５】
また、ステップＳ５３１で説明したように、暗号化される工事の結果に関する情報は、工事の際に計器工事票５１またはバーコードシール３１Ａ，ＢからＱＲコードが読込まれた日時の情報を含む。
【０１８６】
このため、ＱＲコードが読取られた日時と、工事が実施されるべき日時との関係を、電力会社が確認することができる。このため、工事が妥当な日時に行なわれたか否かを電力会社に確認させることができる。
【０１８７】
また、工事管理システム１は、電力会社によって用いられる工事管理サーバ１００と、工事会社によって用いられるＰＤＡ５００とを含む。そして、図５で説明したように、工事管理サーバ１００によって、資材の組合せおよび該資材を取付ける工事場所を示す工事票データが受付けられ、図１で説明したように、受付けられた工事票データで示される組合せの資材に貼り付けるための該資材を識別可能なＱＲコードを印刷したバーコードシール３１Ａ，Ｂが該資材に付されるために出力される。
【０１８８】
また、ステップＳ２２３で説明したように、資材に付されたＱＲコードが読取られ、ステップＳ２３３で説明したように、工事会社に付託予定の工事に必要な資材のうちから、読取られたＱＲコードによって示される資材が検索され、ステップＳ２３４で説明したように、検索された資材を取付ける工事の工事票データに含まれる行先が、該資材に貼付けられるために印刷され、ステップＳ１４６で説明したように、工事票データを特定するためのＱＲコードが印刷された計器工事票５１が印刷される。
【０１８９】
また、ＰＤＡ５００によって、工事場所で、ステップＳ５１６で説明したように、計器工事票５１からＱＲコードが読取られ、ステップＳ５２５で説明したように、資材に付されたＱＲコードが読取られ、ステップＳ５２６およびステップＳ５２７で説明したように、読取られたそれぞれのＱＲコードで示される資材が一致するか否かが判定され、一致すると判定された場合、ステップＳ５３１およびステップＳ５３２で説明したように、一致した旨を示す完了コード６１が出力される。また、工事管理サーバ１００によって、ＰＤＡ５００から完了コード６１が受取られたことを条件として、工事の検査が終了した旨が記憶される。
【０１９０】
このため、工事場所がどこであっても、計器工事票５１と資材とが工事場所にある限り、資材が適切であることが容易に確認できる。その結果、工事場所が広範な領域に亘る場合であっても、適切な資材の取付を容易に管理することができる。また、電力会社の担当者は竣工検査において現地へ出向することなく、資材が適切に取り付けられたか否かを知ることができるので、竣工検査業務の精度向上と効率化を図ることができる。また、資材の組合せの誤り、たとえば、５０Ａ用の変成器に対して２０Ａ用の計器を取付けてしまうといった誤りを防止することができる。
【０１９１】
また、ＰＤＡ５００によって、ステップＳ５３１で説明したように、ＱＲコードが読取られた日時を含む工事の結果に関する情報が暗号化されることによって完了コード６１が生成され、ステップＳ５３２で説明したように、生成された完了コード６１が出力される。また、工事管理サーバ１００によって、ＰＤＡ５００から受取った完了コード６１が復号され、復号された読取日時が妥当な場合、工事の検査が終了した旨が記憶される。このため、読取日時が改竄されずに工事管理サーバ１００に伝達される。その結果、さらに適切に資材の取付を管理することができる。
【０１９２】
なお、本実施の形態においては、電力会社と資材会社とを別の会社として説明した。また、工事管理サーバ１００と資材管理装置４００とを別のコンピュータとして説明した。しかし、これに限定されず、電力会社と資材会社とは１つの会社であってもよい。また、工事管理サーバ１００と資材管理装置４００とは１つのコンピュータであってもよい。
【０１９３】
また、本実施の形態においては、資材を変成器および計器とした。しかし、これに限定されず、資材は他のものであってもよい。資材が１つだけの場合は、資材が適正であるか否かをを確認できる。また、資材が複数の組合せの場合は、その組合せが適正であるか否かを確認できる。
【０１９４】
また、本実施の形態においては、計器工事票は紙であるが、工事情報を記録したものであれば、他の記録媒体であってもよい。たとえば、ＦＤ（flexible disk）などの磁気ディスク、ＣＤ（Compact Disc）などの光ディスク、ＭＯ（Magneto-Optical）ディスクなどの光磁気ディスク、および、メモリカードやＲＦＩＤ（Radio Frequency Identification）タグなどの半導体メモリのようなコンピュータ読取可能な記録媒体であってもよい。
【０１９５】
また、本実施の形態においては、資材情報がコード化されたＱＲコードが印刷されたバーコードシール３１Ａ，Ｂを資材に付して、ＱＲコードをバーコードリーダで読取るようにした。しかし、これに限定されず、資材情報がコード化された他のコードを資材に付するようにしてもよい。また、資材情報が記録されたＲＦＩＤタグを資材に付して、ＲＦＩＤタグに記録された資材情報をリーダで読取るようにしてもよい。
【０１９６】
また、本実施の形態においては、計器工事票５１は、紙に印刷されて工事会社に受け渡されるようにした。しかし、これに限定されず、計器工事票５１が記録された紙以外の記録媒体、たとえば、メモリカードやフレキシブルディスクに記録されて工事会社に受け渡されるようにしてもよい。また、計器工事票５１が通信ネットワークを介して工事会社に受け渡されるようにしてもよい。
【０１９７】
また、本実施の形態においては、完了コード６１がＰＤＡ５００の画面から読取られて電力会社に伝達されるようにした。しかし、これに限定されず、完了コード６１が通信ネットワークを介して受け渡されるようにしてもよい。
【０１９８】
また、本実施の形態においては、工事管理システム１、工事管理サーバ１００、ＰＤＡ２００およびＰＤＡ５００として発明を説明した。しかし、これに限定されず、工事管理サーバ１００で図４および図５の処理を実行する工事管理方法、または、工事管理サーバ１００に図４および図５の処理を実行させる工事管理プログラムとして発明を捉えることができる。
【０１９９】
また、ＰＤＡ２００で図６の処理を実行する工事管理方法、または、ＰＤＡ２００に図６の処理を実行させる工事管理プログラムとして発明を捉えることができる。また、ＰＤＡ５００で図７の処理を実行する工事管理方法、または、ＰＤＡ５００に図７の処理を実行させる工事管理プログラムとして発明を捉えることができる。
【０２００】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０２０１】
【図１】この発明の実施の形態における工事管理システムの概略を示す概略図である。
【図２】この発明の実施の形態における工事管理サーバの構成の概略を示すブロック図である。
【図３】この発明の実施の形態におけるＰＤＡの構成の概略を示すブロック図である。
【図４】この発明の実施の形態における工事管理サーバで実行されるサーバ処理の流れを示すフローチャートである。
【図５】この発明の実施の形態において工事管理サーバで実行される計器工事票作成処理の流れを示すフローチャートである。
【図６】この発明の実施の形態における電力会社のＰＤＡで実行される資材引当処理の流れを示すフローチャートである。
【図７】この発明の実施の形態における工事会社のＰＤＡで実行される現地取付確認処理の流れを示すフローチャートである。
【図８】この発明の実施の形態における工事管理サーバで表示される運行管理画面を示す表示画面図である。
【図９】この発明の実施の形態における工事管理サーバで表示される計器工事票作成画面を示す第１の表示画面図である。
【図１０】この発明の実施の形態における工事管理サーバで表示される計器工事票作成画面を示す第２の表示画面図である。
【図１１】この発明の実施の形態における工事管理サーバで表示される計器工事票作成画面を示す第３の表示画面図である。
【図１２】この発明の実施の形態における工事管理サーバで表示される計器工事票作成画面を示す第４の表示画面図である。
【図１３】この発明の実施の形態における計器に貼付けられるバーコードシールの一例を示す図である。
【図１４】この発明の実施の形態における変成器に貼付けられるバーコードシールの一例を示す図である。
【図１５】この発明の実施の形態において電力会社のＰＤＡで表示される表示画面図である。
【図１６】この発明の実施の形態における携帯プリンタから出力される行先カードの一例を示す図である。
【図１７】この発明の実施の形態における工事管理サーバから出力される計器工事票の一例を示す図である。
【図１８】この発明の実施の形態において工事会社のＰＤＡで表示される表示画面図である。
【図１９】この発明の実施の形態における工事管理サーバで表示される計器工事票作成画面を示す第５の表示画面図である。
【符号の説明】
【０２０２】
１  工事管理システム、１１  工事票データ、１２  資材情報、２１Ａ〜２３Ａ  計器、２１Ｂ〜２３Ｂ  変成器、３１Ａ，Ｂ  バーコードシール、４１Ａ，Ｂ  行先カード、５１  計器工事票、６１  完了コード、１００  工事管理サーバ、２００  ＰＤＡ、３００  携帯プリンタ、４００  資材管理装置、５００  ＰＤＡ、９００  通信ネットワーク。
【図１】
2007156717.tif 000003
【図２】
2007156717.tif 000004
【図３】
2007156717.tif 000005
【図４】
2007156717.tif 000006
【図５】
2007156717.tif 000007
【図６】
2007156717.tif 000008
【図７】
2007156717.tif 000009
【図８】
2007156717.tif 000010
【図９】
2007156717.tif 000011
【図１０】
2007156717.tif 000012
【図１１】
2007156717.tif 000013
【図１２】
2007156717.tif 000014
【図１３】
2007156717.tif 000015
【図１４】
2007156717.tif 000016
【図１５】
2007156717.tif 000017
【図１６】
2007156717.tif 000018
【図１７】
2007156717.tif 000019
【図１８】
2007156717.tif 000020
【図１９】
2007156717.tif 000021